【手続補正書】
【提出日】平成28年4月4日(2016.4.4)
【手続補正１】
【補正対象書類名】特許請求の範囲
【補正対象項目名】全文
【補正方法】変更
【補正の内容】
【特許請求の範囲】
【請求項１】
送電装置であって、
第１時間より短い無線送電を、第１アンテナを介して間欠に行う第１送電手段と、
前記第１送電手段による送電を行っている際に、前記送電装置に他の装置が近づいた時に生ずるインピーダンス変化が検出された場合、前記第１時間より長い無線送電を、前記第１アンテナを介して行う第２送電手段と、
前記第２送電手段による送電を行っている際に、前記送電装置の送電に応答した受電装置からの信号を検出する検出手段と、
前記第１送電手段により送電される電力及び前記第２送電手段により送電される電力より大きい電力の無線送電を、前記第１アンテナを介して行う第３送電手段と、
前記検出手段により前記信号が検出された後に、前記第３送電手段による送電を行うか否かを判定するための通信を、前記受電装置と前記第１アンテナと異なる第２アンテナを介して行う通信手段と、
を備えることを特徴とする送電装置。
【請求項２】
前記第２送電手段による送電を行っている際に検出された信号から取得された情報が所定の条件を満たすか否かを判定する判定手段をさらに備え、
前記第２送電手段による送電を行っている際に検出された信号から取得された情報が前記所定の条件を満たすと前記判定手段により判定された場合、前記通信手段は、前記第３送電手段による送電を行うか否かを判定するための通信を行うことを特徴とする請求項１に記載の送電装置。
【請求項３】
前記判定手段は、前記第２送電手段による送電を行っている際に検出された信号から取得したIDと前記受電装置との間で予め決定したIDとが一致するか否かを判定することを特徴とする請求項２に記載の送電装置。
【請求項４】
前記判定手段によってIDが一致すると判定された場合に、ID一致通知を前記受電装置へ通知する通知手段を更に備えることを特徴とする請求項３に記載の送電装置。
【請求項５】
前記通信手段は、前記受電装置における電力に関する情報を通信し、
前記送電装置は、前記通信手段により通信された電力に関する情報に基づいて、前記第３送電手段による送電を行うか否かを判定することを特徴とする請求項１から４のいずれか１項に記載の送電装置。
【請求項６】
前記通信手段は、前記受電装置の受電電力に関連する値を通信し、
前記送電装置は、前記通信手段により通信された前記受電装置の受電電力に関連する値が閾値以上の場合に前記第３送電手段による送電を行うと判定することを特徴とする請求項１から５のいずれか１項に記載の送電装置。
【請求項７】
前記第２送電手段は、前記第１送電手段による送電を行っている際に、前記送電装置に受電装置とは異なる異物が近づいた時に生ずるインピーダンス変化が検出された場合、送電を行わないことを特徴とする請求項１から６のいずれか１項に記載の送電装置。
【請求項８】
前記第２送電手段は、前記第１送電手段による送電を行っている際に、前記送電装置に負荷変調を行っている前記受電装置が近づいた時に生ずるインピーダンス変化を検出された場合、送電を行うことを特徴とする請求項１から６のいずれか１項に記載の送電装置。
【請求項９】
初期インピーダンスを記憶する記憶手段と、受電装置とは異なる異物を検出する異物検出手段を更に備え、
前記第１送電手段により送電が行われ、かつ、前記検出手段により前記信号が検出されていない際のインピーダンスが、前記記憶手段に記憶された前記初期インピーダンスと異なる場合、前記異物検出手段は異物を検出したと判断することを特徴とする請求項１から８のいずれか１項に記載の送電装置。
【請求項１０】
前記異物検出手段によって異物が検出された場合、エラー表示を行うことを特徴とする請求項９に記載の送電装置。
【請求項１１】
前記送電装置は、前記第２送電手段による送電を開始した場合において、前記第３送電手段による送電を開始しない場合、エラー表示を行うことを特徴とする請求項１から１０のいずれか１項に記載の送電装置。
【請求項１２】
前記送電装置は、前記第２送電手段により送電が行われている際に検出された信号から取得された情報が、前記所定の条件を満たさないと前記判定手段により判定された場合、エラー表示を行うことを特徴とする請求項２から４のいずれか１項に記載の送電装置。
【請求項１３】
前記送電装置は、前記通信手段による通信に基づいて前記第３送電手段による送電を行わないと判定した場合、移動を促す表示を行うことを特徴とする請求項１から１２のいずれか１項に記載の送電装置。
【請求項１４】
前記検出手段は、前記送電装置と前記受電装置との間で行われる機器認証において決定された情報を含む信号を検出することを特徴とする請求項１から１３のいずれか１項に記載の送電装置。
【請求項１５】
前記通信手段は、Bluetooth（登録商標）により通信を行うことを特徴とする請求項１から１４のいずれか１項に記載の送電装置。
【請求項１６】
前記検出手段は、負荷変調された信号を検出することを特徴とする請求項１から１５のいずれか１項に記載の送電装置。
【請求項１７】
送電装置から電力を受電する受電装置であって、
前記送電装置からの第１時間より短い間欠送電を検出した後に、当該第１時間より長い第１送電が行われている間に前記送電装置に信号を送信する送信手段と、
前記送信手段による送信の後に、前記間欠送電及び前記第１送電より電力が大きい第２送電を前記送電装置が行うか否かを判定するための通信を、第１アンテナを介して行う通信手段と、
前記通信手段による通信に応じて、前記送電装置からの前記第２送電を、前記第１アンテナと異なる第２アンテナを介して受電する受電手段と、
を備えることを特徴とする受電装置。
【請求項１８】
前記送信手段は、前記送電装置との間で予め共有されている情報を含めた前記信号を送信することを特徴とする請求項１７に記載の受電装置。
【請求項１９】
前記通信手段は、前記受電装置の受電電力に関連する値を通信することを特徴とする請求項１７または１８に記載の受電装置。
【請求項２０】
前記送信手段は、負荷変調により前記信号を送信することを特徴とする請求項１７から１９のいずれか１項に記載の受電装置。
【請求項２１】
前記送信手段は、前記送電装置から前記信号を受信したことを示す通知を受信するまで、前記信号の送信を繰り返すことを特徴とする請求項１７から２０のいずれか１項に記載の受電装置。
【請求項２２】
インピーダンスの値を変更する変更手段を更に備え、
前記変更手段は、前記インピーダンスを高く設定した後、前記送電装置から間欠に送電される電力を受電した場合に前記インピーダンスを低く設定することを特徴とする請求項１７から２１のいずれか１項に記載の受電装置。
【請求項２３】
前記変更手段は、前記インピーダンスを低く設定した後、前記送電装置から所定の通知が通知された場合に、さらに前記インピーダンスを低く設定することを特徴とする請求項２２に記載の受電装置。
【請求項２４】
前記送信手段による前記信号の送信が行われた後に送電装置から所定の通知がされない場合、にエラー表示を行うことを特徴とする請求項１７から２１のいずれか１項に記載の受電装置。
【請求項２５】
送電装置と受電装置を有する電力伝送システムであって、
前記送電装置は、
第１時間より短い無線送電を、第１アンテナを介して間欠に行う第１送電手段と、
前記第１送電手段による送電を行っている際に、前記送電装置に他の装置が近づいた時に生ずるインピーダンス変化が検出された場合、前記第１時間より長い無線送電を、前記第１アンテナを介して行う第２送電手段と、
前記第２送電手段による送電を行っている際に、前記送電装置の送電に応答した受電装置からの信号を検出する検出手段と、
前記第１送電手段により送電される電力及び前記第２送電手段により送電される電力より大きい電力の無線送電を、前記第１アンテナを介して行う第３送電手段と、
前記検出手段により前記信号が検出された後に、前記第３送電手段による送電を行うか否かを判定するための通信を、前記受電装置と前記第１アンテナと異なる第２アンテナを介して行う第１の通信手段と、
を備え
前記受電装置は、
前記送電装置からの前記第１時間より短い間欠送電を検出した後に、当該第１時間より長い第１送電が行われている間に前記送電装置に前記間欠送電に応答した信号を送信する送信手段と、
前記送信手段による送信の後に、前記間欠送電及び前記第１送電より電力が大きい第２送電を前記送電装置が行うか否かを判定するための通信を、第１アンテナを介して行う第２の通信手段と、
前記第２の通信手段による通信に応じて、前記送電装置からの前記第２送電を、前記第１アンテナと異なる第２アンテナを介して受電する受電手段と、
を備えることを特徴とする電力伝送システム。
【請求項２６】
送電装置の制御方法であって、
第１時間より短い第１の無線送電を、第１アンテナを介して間欠に行う第１送電工程と、
前記第１の無線送電を行っている際に、前記送電装置に他の装置が近づいた時に生ずるインピーダンス変化が検出された場合、前記第１時間より長い第２の無線送電を、前記第１アンテナを介して行う第２送電工程と、
前記第２の無線送電を行っている際に、前記送電装置の送電に応答した受電装置からの信号を検出する検出工程と、
前記第１の無線送電の電力及び前記第２の無線送電の電力より大きい電力の第３の無線送電を、前記第１アンテナを介して行う第３送電工程と、
前記検出工程において前記信号が検出された後に、前記第３の無線送電を行うか否かを判定するための通信を、前記受電装置と前記第１アンテナと異なる第２アンテナを介して行う通信工程と、
を備えることを特徴とする送電装置の制御方法。
【請求項２７】
送電装置から電力を受電する受電装置の制御方法であって、
前記送電装置からの第１時間より短い間欠送電を検出した後に、当該第１時間より長い第１送電が行われている間に前記送電装置に信号を送信する送信工程と、
前記信号の送信の後に、前記間欠送電及び前記第１送電より電力が大きい第２送電を前記送電装置が行うか否かを判定するための通信を、第１アンテナを介して行う通信工程と、
前記通信工程における通信に応じて、前記送電装置からの前記第２送電を、前記第１アンテナと異なる第２アンテナを介して受電する受電工程と、
を備えることを特徴とする受電装置の制御方法。
【請求項２８】
コンピュータを、請求項１から１６のいずれか１項に記載の送電装置の各手段として機能させるためのプログラム。
【請求項２９】
コンピュータを、請求項１７から２４のいずれか１項に記載の受電装置の各手段として機能させるためのプログラム。
【手続補正２】
【補正対象書類名】明細書
【補正対象項目名】発明の名称
【補正方法】変更
【補正の内容】
【発明の名称】送電装置、受電装置およびそれらの制御方法、プログラム、および電力伝送システム
【手続補正３】
【補正対象書類名】明細書
【補正対象項目名】０００１
【補正方法】変更
【補正の内容】
【０００１】
本発明は送電装置、受電装置およびそれらの制御方法、プログラム、および電力伝送システムに関する。
【手続補正４】
【補正対象書類名】明細書
【補正対象項目名】０００８
【補正方法】変更
【補正の内容】
【０００８】
上記目的を達成するための一手段として、本発明の送電装置は以下の構成を備える。すなわち、送電装置であって、第１時間より短い無線送電を、第１アンテナを介して間欠に行う第１送電手段と、前記第１送電手段による送電を行っている際に、前記送電装置に他の装置が近づいた時に生ずるインピーダンス変化が検出された場合、前記第１時間より長い無線送電を、前記第１アンテナを介して行う第２送電手段と、前記第２送電手段による送電を行っている際に、前記送電装置の送電に応答した受電装置からの信号を検出する検出手段と、前記第１送電手段により送電される電力及び前記第２送電手段により送電される電力より大きい電力の無線送電を、前記第１アンテナを介して行う第３送電手段と、
前記検出手段により前記信号が検出された後に、前記第３送電手段による送電を行うか否かを判定するための通信を、前記受電装置と前記第１アンテナと異なる第２アンテナを介して行う通信手段と、を備えることを特徴とする。